(57)【要約】  本発明は、サービス先取り方法、装置および基地局を開示する。前記方法は、サービス要求を受信することと、サービスの所属するユーザ装置（ＵＥ）のタイプがキャリアアグリゲーションＵＥであると判定した場合、取得された無線リソース状態情報に基づいて、前記サービス要求に含まれている発展型ユニバーサル地上無線アクセスネットワーク（Ｅ−ＵＴＲＡＮ）無線アクセスベアラ（Ｅ−ＲＡＢ）に対して分解処理を行うことと、プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答することと、先取りされたサービスの処理結果に基づいて、先取りされたサービスを解放するかどうかを判定することとを含む。【選択図】図１
2016531523.tif 000002
【特許請求の範囲】
【請求項１】
サービス先取り方法であって、
サービス要求を受信することと、
サービスの所属するユーザ装置（ＵＥ）のタイプがキャリアアグリゲーションＵＥであると判定した場合、取得された無線リソース状態情報に基づいて、前記サービス要求に含まれている発展型ユニバーサル地上無線アクセスネットワーク（Ｅ−ＵＴＲＡＮ）無線アクセスベアラ（Ｅ−ＲＡＢ）に対して分解処理を行うことと、
プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答することと、
先取りされたサービスの処理結果に基づいて、先取りされたサービスを解放するかどうかを判定することとを含む、前記サービス先取り方法。
【請求項２】
前記サービスにアクセスするかどうかを判定することは、
サービス確立リソースが不足である場合、他の搬送波での対応するベアラを処理し、若し他の搬送波でのリソースがサービス確立要求を満たし、または他のサービスを先取りすることでサービス確立のために必要なリソースを取得すると、サービスにアクセスし、
若し他の搬送波でのリソースがサービス確立要求を満たすことができなく、かつ他のサービスを先取りすることでサービス確立のために必要なリソースを取得しないと、サービスにアクセスしないことであることを特徴とする
請求項１に記載の方法。
【請求項３】
前記先取りされたサービスを解放するかどうかを判定することは、
サービスが先取りされた場合、他の搬送波での対応するベアラを処理し、若し他の搬送波でのリソースが先取りされたサービスの要求を満たすと、リソース不足によって先取りされたサービスを解放せず、
若し他の搬送波でのリソースが先取りされたサービスの要求を満たすことができないと、リソース不足によって先取りされたサービスを解放することであることを特徴とする
請求項１に記載の方法。
【請求項４】
Ｅ−ＲＡＢに対して分解処理を行った後、
プライマリセルのＥ−ＲＡＢアドミッション処理を行い、プライマリセルのリソースが十分である場合、プライマリセルのＥ−ＲＡＢアドミッションが成功し、セカンダリセルのＥ−ＲＡＢアドミッション処理プロセスに入り、プライマリセルのリソースが不足である場合、プライマリセルのＥ−ＲＡＢアドミッションが失敗し、プライマリセルのサービス先取りを行い、プライマリセルのサービス先取り結果を記録し、その後セカンダリセルのＥ−ＲＡＢアドミッション処理プロセスに入ることと、
セカンダリセルのＥ−ＲＡＢアドミッション処理を行い、サービス確立リソースが十分である場合、セカンダリセルのＥ−ＲＡＢアドミッションが成功し、セカンダリセルのリソースが不足である場合、セカンダリセルのＥ−ＲＡＢアドミッションが失敗し、セカンダリセルのサービス先取りを行い、若しセカンダリセルのＥ−ＲＡＢアドミッションが成功し、または、セカンダリセルのＥ−ＲＡＢアドミッションが失敗するがセカンダリセルのサービス先取りが成功すると、セカンダリセルのＥ−ＲＡＢ確立の成功の結果を取得し、セカンダリセルのＥ−ＲＡＢアドミッションが失敗しかつセカンダリセルのサービス先取りが失敗すると、セカンダリセルのＥ−ＲＡＢ確立の失敗の結果を取得することとをさらに含むことを特徴とする
請求項１に記載の方法。
【請求項５】
前記サービスにアクセスするかどうかを判定することは、
若しプライマリセル、セカンダリセルのいずれもアドミッションが成功し、または、プライマリセルのアドミッションが失敗するがプライマリセルの先取りが成功しかつセカンダリセルのＥ−ＲＡＢ確立が成功し、または、プライマリセルのアドミッションが失敗しかつサービス先取りが失敗するがセカンダリセルのＥ−ＲＡＢ確立が成功すると、サービスにアクセスし、
若しプライマリセルのアドミッションが失敗しかつプライマリセルのサービス先取りが失敗しかつセカンダリセルのＥ−ＲＡＢ確立が失敗すると、サービスにアクセスせず、
若しプライマリセルのアドミッションが成功し、またはプライマリセルのアドミッションが失敗するがサービス先取りが成功するものの、セカンダリセルのＥ−ＲＡＢ確立が失敗すると、プライマリセルのアドミッションを再度行い、若しプライマリセルのアドミッションが成功すると、サービスにアクセスし、若しプライマリセルのアドミッションが失敗すると、プライマリセルのサービス先取りを行い、若しプライマリセルのサービス先取りが成功すると、サービスにアクセスし、若しプライマリセルのサービス先取りが失敗すると、サービスにアクセスしないことであることを特徴とする
請求項４に記載の方法。
【請求項６】
キャリアアグリゲーションＵＥのプライマリセルの所在する発展型基地局ｅＮＢ１がキャリアアグリゲーションＵＥのセカンダリセルの所在するｅＮＢ２へベアラ確立に必要なサービスリソースを要求するためのＥ−ＲＡＢ確立要求メッセージを送信することと、
ｅＮＢ１が、ｅＮＢ２がＥ−ＲＡＢ確立要求メッセージを処理した後に返信したＥ−ＲＡＢ確立応答を受信することとをさらに含むことを特徴とする
請求項１〜５のいずれか１項に記載の方法。
【請求項７】
前記キャリアアグリゲーションＵＥのプライマリセルの所在するｅＮＢ１がキャリアアグリゲーションＵＥのセカンダリセルの所在するｅＮＢ２へセカンダリセルに対応するＥ−ＲＡＢの変更を要求するためのＥ−ＲＡＢ変更要求メッセージを送信することと、
ｅＮＢ１が、ｅＮＢ２がＥ−ＲＡＢ変更要求メッセージを処理した後に返信したＥ−ＲＡＢ変更応答を受信することとをさらに含むことを特徴とする
請求項１〜５のいずれか１項に記載の方法。
【請求項８】
前記キャリアアグリゲーションＵＥのプライマリセルの所在するｅＮＢ１がキャリアアグリゲーションＵＥのセカンダリセルの所在するｅＮＢ２へ対応するＥ−ＲＡＢを解放するようにｅＮＢ２に指示するためのＥ−ＲＡＢ解放指示を送信することをさらに含むことを特徴とする
請求項１〜５のいずれか１項に記載の方法。
【請求項９】
サービス先取り装置であって、
サービス要求を受信するように構成される要求受信ユニットと、
サービスの所属するＵＥのタイプがキャリアアグリゲーションＵＥであると判定した場合、取得された無線リソース状態情報に基づいて、前記サービス要求に含まれている発展型ユニバーサル地上無線アクセスネットワーク（Ｅ−ＵＴＲＡＮ）無線アクセスベアラ（Ｅ−ＲＡＢ）に対して分解処理を行うように構成される分解ユニットと、
プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答するように構成されるアクセス判定ユニットと、
先取りされたサービスの処理結果に基づいて、先取りされたサービスを解放するかどうかを判定するように構成される解放判定ユニットとを含む、前記サービス先取り装置。
【請求項１０】
前記アクセス判定ユニットは、サービス確立リソースが不足である場合、他の搬送波での対応するベアラを処理し、若し他の搬送波でのリソースがサービス確立要求を満たし、または他のサービスを先取りすることでサービス確立のために必要なリソースを取得すると、サービスにアクセスし、
若し他の搬送波でのリソースがサービス確立要求を満たすことができなく、かつ他のサービスを先取りすることでサービス確立のために必要なリソースを取得しないと、サービスにアクセスしないように構成されることを特徴とする
請求項９に記載の装置。
【請求項１１】
前記解放判定ユニットは、
サービスが先取りされた場合、他の搬送波での対応するベアラを処理し、若し他の搬送波でのリソースが先取りされたサービスの要求を満たすと、リソース不足によって先取りされたサービスを解放せず、
若し他の搬送波でのリソースが先取りされたサービスの要求を満たすことができないと、リソース不足によって先取りされたサービスを解放するように構成されることを特徴とする
請求項９に記載の装置。
【請求項１２】
ベアラ処理ユニットをさらに含み、
前記ベアラ処理ユニットは、
プライマリセルのＥ−ＲＡＢアドミッション処理を行い、プライマリセルのリソースが十分である場合、プライマリセルのＥ−ＲＡＢアドミッションが成功し、セカンダリセルのＥ−ＲＡＢアドミッション処理プロセスに入り、プライマリセルのリソースが不足である場合、プライマリセルのＥ−ＲＡＢアドミッションが失敗し、プライマリセルのサービス先取りを行い、プライマリセルのサービス先取り結果を記録し、その後セカンダリセルのＥ−ＲＡＢアドミッション処理プロセスに入り、
セカンダリセルのＥ−ＲＡＢアドミッション処理を行い、サービス確立リソースが十分である場合、セカンダリセルのＥ−ＲＡＢアドミッションが成功し、セカンダリセルのリソースが不足である場合、セカンダリセルのＥ−ＲＡＢアドミッションが失敗し、セカンダリセルのサービス先取りを行い、若しセカンダリセルのＥ−ＲＡＢアドミッションが成功し、または、セカンダリセルのＥ−ＲＡＢアドミッションが失敗するがセカンダリセルのサービス先取りが成功すると、セカンダリセルのＥ−ＲＡＢ確立の成功の結果を取得し、セカンダリセルのＥ−ＲＡＢアドミッションが失敗しかつセカンダリセルのサービス先取りが失敗すると、セカンダリセルのＥ−ＲＡＢ確立の失敗の結果を取得するように構成されることを特徴とする
請求項９に記載の装置。
【請求項１３】
前記アクセス判定ユニットは、
若しプライマリセル、セカンダリセルのいずれもアドミッションが成功し、または、プライマリセルのアドミッションが失敗するがプライマリセルの先取りが成功しかつセカンダリセルのＥ−ＲＡＢ確立が成功し、または、プライマリセルのアドミッションが失敗しかつサービス先取りが失敗するがセカンダリセルのＥ−ＲＡＢ確立が成功すると、サービスにアクセスし、
若しプライマリセルのアドミッションが失敗しかつプライマリセルのサービス先取りが失敗しかつセカンダリセルのＥ−ＲＡＢ確立が失敗すると、サービスにアクセスせず、
若しプライマリセルのアドミッションが成功し、またはプライマリセルのアドミッションが失敗するがサービス先取りが成功するものの、セカンダリセルのＥ−ＲＡＢ確立が失敗すると、プライマリセルのアドミッションを再度行い、若しプライマリセルのアドミッションが成功すると、サービスにアクセスし、若しプライマリセルのアドミッションが失敗すると、プライマリセルのサービス先取りを行い、若しプライマリセルのサービス先取りが成功すると、サービスにアクセスし、若しプライマリセルのサービス先取りが失敗すると、サービスにアクセスしないように構成されることを特徴とする
請求項１２に記載の装置。
【請求項１４】
第一の送受信ユニットをさらに含み、
前記第一の送受信ユニットは、
キャリアアグリゲーションＵＥのセカンダリセルの所在する発展型基地局ｅＮＢ２へベアラ確立に必要なサービスリソースを要求するためのＥ−ＲＡＢ確立要求メッセージを送信し、
ｅＮＢ２がＥ−ＲＡＢ確立要求メッセージを処理した後に返信したＥ−ＲＡＢ確立応答を受信するように構成されることを特徴とする
請求項９〜１３のいずれか１項に記載の装置。
【請求項１５】
第二の送受信ユニットをさらに含み、
前記第二の送受信ユニットは、
前記キャリアアグリゲーションＵＥのセカンダリセルの所在するｅＮＢ２へセカンダリセルに対応するＥ−ＲＡＢの変更を要求するためのＥ−ＲＡＢ変更要求メッセージを送信し、
ｅＮＢ２がＥ−ＲＡＢ変更要求メッセージを処理した後に返信したＥ−ＲＡＢ変更応答を受信するように構成されることを特徴とする
請求項９〜１３のいずれか１項に記載の装置。
【請求項１６】
解放指示送信ユニットをさらに含み、
前記解放指示送信ユニットは、
前記キャリアアグリゲーションＵＥのセカンダリセルの所在するｅＮＢ２へ対応するＥ−ＲＡＢを解放するようにｅＮＢ２に指示するためのＥ−ＲＡＢ解放指示を送信するように構成されることを特徴とする
請求項９〜１３のいずれか１項に記載の装置。
【請求項１７】
基地局であって、
請求項９〜１６のいずれか１項に記載のサービス先取り装置を含む、前記基地局。
【請求項１８】
コンピュータ記憶媒体であって、
請求項１〜８のいずれか１項に記載の方法を実行するためのコンピュータ実行可能命令を記憶している、前記コンピュータ記憶媒体。
【発明の詳細な説明】
【技術分野】
【０００１】
本発明は、移動通信技術に関し、特にサービス先取り方法、装置および基地局に関する。
【背景技術】
【０００２】
長期発展型（Ｌｏｎｇ  Ｔｅｒｍ  Ｅｖｏｌｕｔｉｏｎ：ＬＴＥ）通信システムに対して、新しいサービス要求がある場合、発展型ユニバーサル地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：Ｅ−ＵＴＲＡＮ）の発展型基地局（Ｅｖｏｌｖｅｄ  Ｎｏｄｅ  Ｂ：ｅＮＢ）は、サービス要求に含まれている割り当て予約優先度に含まれている優先度情報に基づいてリソース割り当てを行う。リソースが不足である場合、割り当て予約優先度に含まれている先取り指示に応じて処理する。先取り指示の先取り能力が「先取りをトリガできる」である場合、新しいサービスにアクセスするように、既存のサービスから一定数の、先取りされる能力が「先取りされることができる」である低い優先度のサービスを選択してリソース解放を行う。他のサービスのリソースの先取りが失敗する場合、新しいサービスへのアクセスが失敗する。
【０００３】
上述したサービス先取り技術案は、ユーザ装置（Ｕｓｅｒ  Ｅｑｕｉｐｍｅｎｔ：ＵＥ）に対するものであり、一般的なＵＥがプライマリセルのみを有するが、キャリアアグリゲーションＵＥは、プライマリセルだけでなく、セカンダリセルも有するので、上述したサービス先取り技術案は、キャリアアグリゲーションＵＥに適用しない。現在、キャリアアグリゲーションＵＥに対するサービス先取り技術案がなく、キャリアアグリゲーションＵＥに対して従来のサービス先取り技術案を採用すると、Ｅ−ＵＴＲＡＮ無線アクセスベアラ（Ｅ−ＵＴＲＡＮ  Ｒａｄｉｏ  Ａｃｃｅｓｓ  Ｂｅａｒｅｒ：Ｅ−ＲＡＢ）の確立成功率を低下させ、サービスのコールドロップ率を増加させ、ユーザ体験に影響を与える。
【発明の概要】
【０００４】
これを鑑みて、従来技術における課題を解決するために、本発明の実施形態は、サービス先取り方法、装置および基地局を提供する。
【０００５】
本発明の実施形態によるサービス先取り方法は、
サービス要求を受信することと、
サービスの所属するユーザ装置（ＵＥ）のタイプがキャリアアグリゲーションＵＥであると判定した場合、取得された無線リソース状態情報に基づいて、前記サービス要求に含まれている発展型ユニバーサル地上無線アクセスネットワーク（Ｅ−ＵＴＲＡＮ）無線アクセスベアラ（Ｅ−ＲＡＢ）に対して分解処理を行うことと、
プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答することと、
先取りされたサービスの処理結果に基づいて、先取りされたサービスを解放するかどうかを判定することとを含む。
【０００６】
好ましくは、前記サービスにアクセスするかどうかを判定することは、
サービス確立リソースが不足である場合、他の搬送波での対応するベアラを処理し、若し他の搬送波でのリソースがサービス確立要求を満たし、または他のサービスを先取りすることでサービス確立のために必要なリソースを取得すると、サービスにアクセスし、
若し他の搬送波でのリソースがサービス確立要求を満たすことができなく、かつ他のサービスを先取りすることでサービス確立のために必要なリソースを取得しないと、サービスにアクセスしないことである。
【０００７】
好ましくは、前記先取りされたサービスを解放するかどうかを判定することは、
サービスが先取りされた場合、他の搬送波での対応するベアラを処理し、若し他の搬送波でのリソースが先取りされたサービスの要求を満たすと、リソース不足によって先取りされたサービスを解放せず、
若し他の搬送波でのリソースが先取りされたサービスの要求を満たすことができないと、リソース不足によって先取りされたサービスを解放することである。
【０００８】
好ましくは、前記方法は、Ｅ−ＲＡＢに対して分解処理を行った後、
プライマリセルのＥ−ＲＡＢアドミッション処理を行い、プライマリセルのリソースが十分である場合、プライマリセルのＥ−ＲＡＢアドミッションが成功し、セカンダリセルのＥ−ＲＡＢアドミッション処理プロセスに入り、プライマリセルのリソースが不足である場合、プライマリセルのＥ−ＲＡＢアドミッションが失敗し、プライマリセルのサービス先取りを行い、プライマリセルのサービス先取り結果を記録し、その後セカンダリセルのＥ−ＲＡＢアドミッション処理プロセスに入ることと、
セカンダリセルのＥ−ＲＡＢアドミッション処理を行い、サービス確立リソースが十分である場合、セカンダリセルのＥ−ＲＡＢアドミッションが成功し、セカンダリセルのリソースが不足である場合、セカンダリセルのＥ−ＲＡＢアドミッションが失敗し、セカンダリセルのサービス先取りを行い、若しセカンダリセルのＥ−ＲＡＢアドミッションが成功し、または、セカンダリセルのＥ−ＲＡＢアドミッションが失敗するがセカンダリセルのサービス先取りが成功すると、セカンダリセルのＥ−ＲＡＢ確立の成功の結果を取得し、セカンダリセルのＥ−ＲＡＢアドミッションが失敗しかつセカンダリセルのサービス先取りが失敗すると、セカンダリセルのＥ−ＲＡＢ確立の失敗の結果を取得することとをさらに含む。
【０００９】
好ましくは、前記サービスにアクセスするかどうかを判定することは、
若しプライマリセル、セカンダリセルのいずれもアドミッションが成功し、または、プライマリセルのアドミッションが失敗するがプライマリセルの先取りが成功しかつセカンダリセルのＥ−ＲＡＢ確立が成功し、または、プライマリセルのアドミッションが失敗しかつサービス先取りが失敗するがセカンダリセルのＥ−ＲＡＢ確立が成功すると、サービスにアクセスし、
若しプライマリセルのアドミッションが失敗しかつプライマリセルのサービス先取りが失敗しかつセカンダリセルのＥ−ＲＡＢ確立が失敗すると、サービスにアクセスせず、
若しプライマリセルのアドミッションが成功し、またはプライマリセルのアドミッションが失敗するがサービス先取りが成功するものの、セカンダリセルのＥ−ＲＡＢ確立が失敗すると、プライマリセルのアドミッションを再度行い、若しプライマリセルのアドミッションが成功すると、サービスにアクセスし、若しプライマリセルのアドミッションが失敗すると、プライマリセルのサービス先取りを行い、若しプライマリセルのサービス先取りが成功すると、サービスにアクセスし、若しプライマリセルのサービス先取りが失敗すると、サービスにアクセスしないことである。
【００１０】
好ましくは、前記方法は、
キャリアアグリゲーションＵＥのプライマリセルの所在する発展型基地局ｅＮＢ１がキャリアアグリゲーションＵＥのセカンダリセルの所在するｅＮＢ２へベアラ確立に必要なサービスリソースを要求するためのＥ−ＲＡＢ確立要求メッセージを送信することと、
ｅＮＢ１が、ｅＮＢ２がＥ−ＲＡＢ確立要求メッセージを処理した後に返信したＥ−ＲＡＢ確立応答を受信することとをさらに含む。
【００１１】
好ましくは、前記方法は、
前記キャリアアグリゲーションＵＥのプライマリセルの所在するｅＮＢ１がキャリアアグリゲーションＵＥのセカンダリセルの所在するｅＮＢ２へセカンダリセルに対応するＥ−ＲＡＢの変更を要求するためのＥ−ＲＡＢ変更要求メッセージを送信することと、
ｅＮＢ１が、ｅＮＢ２がＥ−ＲＡＢ変更要求メッセージを処理した後に返信したＥ−ＲＡＢ変更応答を受信することとをさらに含む。
【００１２】
好ましくは、前記方法は、
前記キャリアアグリゲーションＵＥのプライマリセルの所在するｅＮＢ１がキャリアアグリゲーションＵＥのセカンダリセルの所在するｅＮＢ２へ対応するＥ−ＲＡＢを解放するようにｅＮＢ２に指示するためのＥ−ＲＡＢ解放指示を送信することをさらに含む。
【００１３】
本発明の実施形態によるサービス先取り装置は、
サービス要求を受信するように構成される要求受信ユニットと、
サービスの所属するＵＥのタイプがキャリアアグリゲーションＵＥであると判定した場合、取得された無線リソース状態情報に基づいて、前記サービス要求に含まれている発展型ユニバーサル地上無線アクセスネットワークＥ−ＵＴＲＡＮ無線アクセスベアラ（Ｅ−ＲＡＢ）に対して分解処理を行うように構成される分解ユニットと、
プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答するように構成されるアクセス判定ユニットと、
先取りされたサービスの処理結果に基づいて、先取りされたサービスを解放するかどうかを判定するように構成される解放判定ユニットとを含む。
【００１４】
好ましくは、前記アクセス判定ユニットは、サービス確立リソースが不足である場合、他の搬送波での対応するベアラを処理し、若し他の搬送波でのリソースがサービス確立要求を満たし、または他のサービスを先取りすることでサービス確立のために必要なリソースを取得すると、サービスにアクセスし、
若し他の搬送波でのリソースがサービス確立要求を満たすことができなく、かつ他のサービスを先取りすることでサービス確立のために必要なリソースを取得しないと、サービスにアクセスしないように構成される。
【００１５】
好ましくは、前記解放判定ユニットは、サービスが先取りされた場合、他の搬送波での対応するベアラを処理し、若し他の搬送波でのリソースが先取りされたサービスの要求を満たすと、リソース不足によって先取りされたサービスを解放せず、
若し他の搬送波でのリソースが先取りされたサービスの要求を満たすことができないと、リソース不足によって先取りされたサービスを解放するように構成される。
【００１６】
好ましくは、前記装置は、ベアラ処理ユニットをさらに含み、
前記ベアラ処理ユニットは、
プライマリセルのＥ−ＲＡＢアドミッション処理を行い、プライマリセルのリソースが十分である場合、プライマリセルのＥ−ＲＡＢアドミッションが成功し、セカンダリセルのＥ−ＲＡＢアドミッション処理プロセスに入り、プライマリセルのリソースが不足である場合、プライマリセルのＥ−ＲＡＢアドミッションが失敗し、プライマリセルのサービス先取りを行い、プライマリセルのサービス先取り結果を記録し、その後セカンダリセルのＥ−ＲＡＢアドミッション処理プロセスに入り、
セカンダリセルのＥ−ＲＡＢアドミッション処理を行い、サービス確立リソースが十分である場合、セカンダリセルのＥ−ＲＡＢアドミッションが成功し、セカンダリセルのリソースが不足である場合、セカンダリセルのＥ−ＲＡＢアドミッションが失敗し、セカンダリセルのサービス先取りを行い、若しセカンダリセルのＥ−ＲＡＢアドミッションが成功し、または、セカンダリセルのＥ−ＲＡＢアドミッションが失敗するがセカンダリセルのサービス先取りが成功すると、セカンダリセルのＥ−ＲＡＢ確立の成功の結果を取得し、セカンダリセルのＥ−ＲＡＢアドミッションが失敗しかつセカンダリセルのサービス先取りが失敗すると、セカンダリセルのＥ−ＲＡＢ確立の失敗の結果を取得するように構成される。
【００１７】
好ましくは、前記アクセス判定ユニットは、若しプライマリセル、セカンダリセルのいずれもアドミッションがすべて成功し、または、プライマリセルのアドミッションが失敗するがプライマリセルの先取りが成功しかつセカンダリセルのＥ−ＲＡＢ確立が成功し、または、プライマリセルのアドミッションが失敗しかつサービス先取りが失敗するがセカンダリセルのＥ−ＲＡＢ確立が成功すると、サービスにアクセスし、
若しプライマリセルのアドミッションが失敗しかつプライマリセルのサービス先取りが失敗しかつセカンダリセルのＥ−ＲＡＢ確立が失敗すると、サービスにアクセスせず、
若しプライマリセルのアドミッションが成功し、またはプライマリセルのアドミッションが失敗するがサービス先取りが成功するものの、セカンダリセルのＥ−ＲＡＢ確立が失敗すると、プライマリセルのアドミッションを再度行い、若しプライマリセルのアドミッションが成功すると、サービスにアクセスし、若しプライマリセルのアドミッションが失敗すると、プライマリセルのサービス先取りを行い、若しプライマリセルのサービス先取りが成功すると、サービスにアクセスし、若しプライマリセルのサービス先取りが失敗すると、サービスにアクセスしないように構成される。
【００１８】
好ましくは、前記装置は、第一の送受信ユニットをさらに含み、
前記第一の送受信ユニットは、
キャリアアグリゲーションＵＥのセカンダリセルの所在する発展型基地局ｅＮＢ２へベアラ確立に必要なサービスリソースを要求するためのＥ−ＲＡＢ確立要求メッセージを送信し、
ｅＮＢ２がＥ−ＲＡＢ確立要求メッセージを処理した後に返信したＥ−ＲＡＢ確立応答を受信するように構成される。
【００１９】
好ましくは、前記装置は、第二の送受信ユニットをさらに含み、
前記第二の送受信ユニットは、
前記キャリアアグリゲーションＵＥのセカンダリセルの所在するｅＮＢ２へセカンダリセルに対応するＥ−ＲＡＢの変更を要求するためのＥ−ＲＡＢ変更要求メッセージを送信し、
ｅＮＢ２がＥ−ＲＡＢ変更要求メッセージを処理した後に返信したＥ−ＲＡＢ変更応答を受信するように構成される。
【００２０】
好ましくは、前記装置は、解放指示送信ユニットをさらに含み、
前記解放指示送信ユニットは、
前記キャリアアグリゲーションＵＥのセカンダリセルの所在するｅＮＢ２へ対応するＥ−ＲＡＢを解放するようにｅＮＢ２に指示するためのＥ−ＲＡＢ解放指示を送信するように構成される。
【００２１】
本発明の実施形態による基地局は、上述したいずれか一つのサービス先取り装置を含む。
【００２２】
以上のことから、本発明の実施形態による技術的解決手段は、サービス要求を受信することと、サービスの所属するＵＥのタイプがキャリアアグリゲーションＵＥであると判定した場合、取得された無線リソース状態情報に基づいて、前記サービス要求に含まれている発展型ユニバーサル地上無線アクセスネットワーク（Ｅ−ＵＴＲＡＮ）無線アクセスベアラ（Ｅ−ＲＡＢ）に対して分解処理を行うことと、プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答することと、先取りされたサービスの処理結果に基づいて、先取りされたサービスを解放するかどうかを判定することとを含むことがわかる。これにより、本発明の実施形態によれば、キャリアアグリゲーションＵＥに対して、サービス先取りを実現することができ、それによってＥ−ＲＡＢ確立成功率を向上させ、サービスコールドロップ率を低下させて、ユーザ体験を向上させる。
【図面の簡単な説明】
【００２３】
【図１】本発明によるサービス先取り方法の実施形態のフローチャートである。
【図２】本発明によるサービス先取り装置の実施形態の構造構成を示す図である。
【図３】本発明の実施形態によるキャリアアグリゲーションＵＥが新しいサービスを確立する場合に他のサービスを先取りする処理を示す図である。
【図４】本発明の実施形態によるキャリアアグリゲーションＵＥのプライマリセルのサービスが先取りされる処理を示す図である。
【図５】本発明の実施形態によるキャリアアグリゲーションＵＥのプライマリセルのすべてのサービスが先取りされる処理を示す図である。
【図６】本発明の実施形態によるキャリアアグリゲーションＵＥのセカンダリセルのサービスが先取りされる処理を示す図である。
【図７】本発明の実施形態によるキャリアアグリゲーションＵＥのセカンダリセルのすべてのサービスが先取りされる処理を示す図である。
【図８】本発明の実施形態による基地局によりトリガされたキャリアアグリゲーションＵＥのＥ−ＲＡＢ解放指示の処理を示す図である。
【図９】本発明の実施形態による基地局によりトリガされたキャリアアグリゲーションＵＥコンテキスト解放要求の処理を示す図である。
【図１０】本発明の実施形態による基地局間のキャリアアグリゲーションＵＥのベアラ確立の処理を示す図である。
【図１１】本発明の実施形態による基地局間のキャリアアグリゲーションＵＥのベアラ変更の処理を示す図である。
【図１２】本発明の実施形態によるキャリアアグリゲーションＵＥのプライマリセルおよびセカンダリセルの先取りプロセスが交差する処理を示す図である。
【発明を実施するための形態】
【００２４】
本発明によるサービス先取り方法の実施形態は、図１に示すように、以下のステップを含む。
【００２５】
ステップ１０１において、サービス要求を受信する。
【００２６】
ステップ１０２において、サービスの所属するＵＥのタイプがキャリアアグリゲーションＵＥであると判定した場合、取得された無線リソース状態情報に基づいて、前記サービス要求に含まれているＥ−ＲＡＢに対して分解処理を行う。
【００２７】
ここで、サービスの所属するＵＥのタイプは、一般的なＵＥとキャリアアグリゲーションＵＥに分けられ、サービスの所属するセルのタイプは、プライマリセルとセカンダリセルに分けられる。一般的なＵＥに対してプライマリセルのみあり、キャリアアグリゲーションＵＥに対してプライマリセルだけでなく、セカンダリセルもある。
【００２８】
ステップ１０３において、プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答する。
【００２９】
ステップ１０４において、先取りされたサービスの処理結果に基づいて先取りされたサービスを解放するかどうかを判定する。
【００３０】
好ましくは、前記サービスにアクセスするかどうかを判定することは、
サービス確立リソースが不足である場合、他の搬送波での対応するベアラを処理し、若し他の搬送波でのリソースがサービス確立要求を満たし、または他のサービスを先取りすることでサービス確立のために必要なリソースを取得すると、サービスにアクセスし、
若し他の搬送波でのリソースがサービス確立要求を満たすことができなく、かつ他のサービスを先取りすることでサービス確立のために必要なリソースを取得しないと、サービスにアクセスしない。
【００３１】
好ましくは、前記先取りされたサービスを解放するかどうかを判定することは、
サービスが先取りされた場合、他の搬送波での対応するベアラを処理し、若し他の搬送波でのリソースが先取りされたサービスの要求を満たすと、リソース不足によって先取りされたサービスを解放せず、
若し他の搬送波でのリソースが先取りされたサービスの要求を満たすことができないと、リソース不足によって先取りされたサービスを解放する。
【００３２】
好ましくは、Ｅ−ＲＡＢに対して分解処理を行った後、前記方法は、
プライマリセルのＥ−ＲＡＢアドミッション処理を行い、プライマリセルのリソースが十分である場合、プライマリセルのＥ−ＲＡＢアドミッションが成功し、セカンダリセルのＥ−ＲＡＢアドミッション処理プロセスに入り、プライマリセルのリソースが不足である場合、プライマリセルのＥ−ＲＡＢアドミッションが失敗し、プライマリセルのサービス先取りを行い、プライマリセルのサービス先取り結果を記録し、その後セカンダリセルのＥ−ＲＡＢアドミッション処理プロセスに入ることと、
セカンダリセルのＥ−ＲＡＢアドミッション処理を行い、サービス確立リソースが十分である場合、セカンダリセルのＥ−ＲＡＢアドミッションが成功し、セカンダリセルのリソースが不足である場合、セカンダリセルのＥ−ＲＡＢアドミッションが失敗し、セカンダリセルのサービス先取りを行い、若しセカンダリセルのＥ−ＲＡＢアドミッションが成功し、または、セカンダリセルのＥ−ＲＡＢアドミッションが失敗するがセカンダリセルのサービス先取りが成功すると、セカンダリセルのＥ−ＲＡＢ確立の成功の結果を取得し、セカンダリセルのＥ−ＲＡＢアドミッションが失敗しかつセカンダリセルのサービス先取りが失敗すると、セカンダリセルのＥ−ＲＡＢ確立の失敗の結果を取得することとをさらに含む。
【００３３】
好ましくは、前記サービスにアクセスするかどうかを判定することは、
若しプライマリセル、セカンダリセルのいずれもアドミッションが成功し、または、プライマリセルのアドミッションが失敗するがプライマリセルの先取りが成功しかつセカンダリセルのＥ−ＲＡＢ確立が成功し、または、プライマリセルのアドミッションが失敗しかつサービス先取りが失敗するがセカンダリセルのＥ−ＲＡＢ確立が成功すると、サービスにアクセスし、
若しプライマリセルのアドミッションが失敗しかつプライマリセルのサービス先取りが失敗しかつセカンダリセルのＥ−ＲＡＢ確立が失敗すると、サービスにアクセスせず、
若しプライマリセルのアドミッションが成功し、またはプライマリセルのアドミッションが失敗するがサービス先取りが成功するものの、セカンダリセルのＥ−ＲＡＢ確立が失敗すると、プライマリセルのアドミッションを再度行い、若しプライマリセルのアドミッションが成功すると、サービスにアクセスし、若しプライマリセルのアドミッションが失敗すると、プライマリセルのサービス先取りを行い、若しプライマリセルのサービス先取りが成功すると、サービスにアクセスし、若しプライマリセルのサービス先取りが失敗すると、サービスにアクセスしない。
【００３４】
本発明によるサービス先取り装置の実施形態は、図２に示すように、
サービス要求を受信するように構成される要求受信ユニット２０１と、
サービスの所属するＵＥのタイプがキャリアアグリゲーションＵＥであると判定した場合、取得された無線リソース状態情報に基づいて、前記サービス要求に含まれている発展型ユニバーサル地上無線アクセスネットワーク（Ｅ−ＵＴＲＡＮ）無線アクセスベアラ（Ｅ−ＲＡＢ）に対して分解処理を行うように構成される分解ユニット２０２と、
プライマリセルのＥ−ＲＡＢアドミッション結果、プライマリセルのサービス先取り結果およびセカンダリセルのＥ−ＲＡＢ確立結果に基づいてサービスにアクセスするかどうかを判定し、サービス要求に応答するように構成されるアクセス判定ユニット２０３と、
先取りされたサービスの処理結果に基づいて、先取りされたサービスを解放するかどうかを判定するように構成される解放判定ユニット２０４とを含む。
【００３５】
好ましくは、前記アクセス判定ユニット２０３は、具体的に、サービス確立リソースが不足である場合、他の搬送波での対応するベアラを処理し、若し他の搬送波でのリソースがサービス確立要求を満たし、または他のサービスを先取りすることでサービス確立のために必要なリソースを取得すると、サービスにアクセスし、
若し他の搬送波でのリソースがサービス確立要求を満たすことができなく、かつ他のサービスを先取りすることでサービス確立のために必要なリソースを取得しないと、サービスにアクセスしないように構成される。
【００３６】
好ましくは、前記解放判定ユニット２０４は、具体的に、サービスが先取りされた場合、他の搬送波での対応するベアラを処理し、若し他の搬送波でのリソースが先取りされたサービスの要求を満たすと、リソース不足によって先取りされたサービスを解放せず、
若し他の搬送波でのリソースが先取りされたサービスの要求を満たすことができないと、リソース不足によって先取りされたサービスを解放するように構成される。
【００３７】
好ましくは、前記装置は、ベアラ処理ユニット２０５をさらに含み、前記ベアラ処理ユニット２０５は、プライマリセルのＥ−ＲＡＢアドミッション処理を行い、プライマリセルのリソースが十分である場合、プライマリセルのＥ−ＲＡＢアドミッションが成功し、セカンダリセルのＥ−ＲＡＢアドミッション処理プロセスに入り、プライマリセルのリソースが不足である場合、プライマリセルのＥ−ＲＡＢアドミッションが失敗し、プライマリセルのサービス先取りを行い、プライマリセルのサービス先取り結果を記録し、その後セカンダリセルのＥ−ＲＡＢアドミッション処理プロセスに入り、
セカンダリセルのＥ−ＲＡＢアドミッション処理を行い、サービス確立リソースが十分である場合、セカンダリセルのＥ−ＲＡＢアドミッションが成功し、セカンダリセルのリソースが不足である場合、セカンダリセルのＥ−ＲＡＢアドミッションが失敗し、セカンダリセルのサービス先取りを行い、若しセカンダリセルのＥ−ＲＡＢアドミッションが成功し、または、セカンダリセルのＥ−ＲＡＢアドミッションが失敗するがセカンダリセルのサービス先取りが成功すると、セカンダリセルのＥ−ＲＡＢ確立の成功の結果を取得し、セカンダリセルのＥ−ＲＡＢアドミッションが失敗しかつセカンダリセルのサービス先取りが失敗すると、セカンダリセルのＥ−ＲＡＢ確立の失敗の結果を取得するように構成される。
【００３８】
好ましくは、前記アクセス判定ユニット２０３は、具体的に、若しプライマリセル、セカンダリセルのいずれもアドミッションが成功し、または、プライマリセルのアドミッションが失敗するがプライマリセルの先取りが成功しかつセカンダリセルのＥ−ＲＡＢ確立が成功し、または、プライマリセルのアドミッションが失敗しかつサービス先取りが失敗するがセカンダリセルのＥ−ＲＡＢ確立が成功すると、サービスにアクセスし、
若しプライマリセルのアドミッションが失敗しかつプライマリセルのサービス先取りが失敗しかつセカンダリセルのＥ−ＲＡＢ確立が失敗すると、サービスにアクセスし、
若しプライマリセルのアドミッションが成功し、またはプライマリセルのアドミッションが失敗するがサービス先取りが成功するものの、セカンダリセルのＥ−ＲＡＢ確立が失敗すると、プライマリセルのアドミッションを再度行い、若しプライマリセルのアドミッションが成功すると、サービスにアクセスし、若しプライマリセルのアドミッションが失敗すると、プライマリセルのサービス先取りを行い、若しプライマリセルのサービス先取りが成功すると、サービスにアクセスし、若しプライマリセルのサービス先取りが失敗すると、サービスにアクセスするように構成される。
【００３９】
上述した各ユニットは、電子装置における中央処理装置（Ｃｅｎｔｒａｌ  Ｐｒｏｃｅｓｓｉｎｇ  Ｕｎｉｔ：ＣＰＵ）、デジタル信号プロセッサ（Ｄｉｇｉｔａｌ  Ｓｉｇｎａｌ  Ｐｒｏｃｅｓｓｏｒ：ＤＳＰ）またはフィールドプログラマブルロジックアレイ（Ｆｉｅｌｄ−Ｐｒｏｇｒａｍｍａｂｌｅ  Ｇａｔｅ  Ａｒｒａｙ：ＦＰＧＡ）によって実現されることができる。
【００４０】
一つの好ましい実施形態において、前記装置は、第一の送受信ユニットをさらに含むことができ、前記第一の送受信ユニットは、キャリアアグリゲーションＵＥのセカンダリセルの所在する発展型基地局ｅＮＢ２へベアラ確立に必要なサービスリソースを要求するためのＥ−ＲＡＢ確立要求メッセージを送信し、
ｅＮＢ２がＥ−ＲＡＢ確立要求メッセージを処理した後に返信したＥ−ＲＡＢ確立応答を受信するように構成される。
【００４１】
一つの好ましい実施形態において、前記装置は、第二の送受信ユニットをさらに含むことができ、前記第二の送受信ユニットは、前記キャリアアグリゲーションＵＥのセカンダリセルの所在するｅＮＢ２へセカンダリセルに対応するＥ−ＲＡＢの変更を要求するためのＥ−ＲＡＢ変更要求メッセージを送信し、
ｅＮＢ２がＥ−ＲＡＢ変更要求メッセージを処理した後に返信したＥ−ＲＡＢ変更応答を受信するように構成される。
【００４２】
一つの好ましい実施形態において、前記装置は、解放指示送信ユニットをさらに含むことができ、前記解放指示送信ユニットは、
前記キャリアアグリゲーションＵＥのセカンダリセルの所在するｅＮＢ２へ対応するＥ−ＲＡＢを解放するようにｅＮＢ２に指示するためのＥ−ＲＡＢ解放指示を送信するように構成される。
【００４３】
本発明の実施形態による基地局は、上述したいずれか一つのサービス先取り装置を含む。
【００４４】
以下、図３を参照して本発明によるサービス先取り方法の第一の実施形態を説明する。本実施形態は、キャリアアグリゲーションＵＥが新しいサービスを確立する場合に他のサービスを先取りする処理を説明する。本実施形態は、以下のステップを含む。
【００４５】
ステップ３０１において、新しいサービスを確立する必要がある場合、移動性管理エンティティ（Ｍｏｂｉｌｉｔｙ  Ｍａｎａｇｅｍｅｎｔ  Ｅｎｔｉｔｙ：ＭＭＥ）は、キャリアアグリゲーションＵＥのプライマリセルの所在するｅＮＢ１へＥ−ＲＡＢ確立要求を送信する。
【００４６】
ステップ３０２において、ｅＮＢ１は、インタラクションにより取得された無線リソース状態情報などに基づいてＥ−ＲＡＢに対して分解処理を行う。
【００４７】
ステップ３０３において、ｅＮＢ１は、プライマリセルの新しく確立されたサービスをアドミッションし、アドミッションが成功すると、直接ステップ３０４に入り、アドミッションが失敗すると、サービス先取りを行い、先取り結果と先取りされたサービスを記録し、先取り結果に基づいてセカンダリセルのＥ−ＲＡＢ情報を更新し、さらにステップ３０４に入る。
【００４８】
ステップ３０４において、セカンダリセルの所在するｅＮＢ２へＥ−ＲＡＢ確立要求を送信する。
【００４９】
ステップ３０５において、ｅＮＢ２は、Ｅ−ＲＡＢに対してアドミッション処理を行う。アドミッションが成功すると、サービス先取りを行う。
【００５０】
ステップ３０６において、アドミッションおよび先取り処理結果に基づいてｅＮＢ１へ応答を返信する。
【００５１】
若しアドミッションが成功または失敗するがサービス先取りが成功すると、Ｅ−ＲＡＢ確立応答を返信し、その中に確立成功したＥ−ＲＡＢリストが含まれている。
【００５２】
若し先取りされたサービスが存在すると、先取りされたサービスの所属するＵＥのタイプに基づいてそれぞれ処理する。一般的なＵＥのサービスが先取りされると、基地局によって開始されたＥ−ＲＡＢ解放プロセスを実行する。キャリアアグリゲーションＵＥのサービスが先取りされると、キャリアアグリゲーションＵＥのサービス先取りプロセスを実行する。
【００５３】
アドミッションが失敗しかつサービス先取りが失敗すると、Ｅ−ＲＡＢ確立応答を返信し、その中に確立失敗したＥ−ＲＡＢリストが含まれている。
【００５４】
ステップ３０７において、ｅＮＢ１は、ｅＮＢ２のセカンダリセルからのＥ−ＲＡＢ確立応答を受信した後、応答メッセージに含まれている結果に基づいて判定処理を行う。
【００５５】
若しプライマリセルとセカンダリセルのアドミッションが成功し、またはプライマリセルのアドミッションが失敗するが先取りが成功しかつセカンダリセルのＥ−ＲＡＢ確立が成功し、またはプライマリセルのアドミッションが失敗しかつサービス先取りが失敗するがセカンダリセルのＥ−ＲＡＢ確立が成功すると、ステップ３０９に入る。
【００５６】
若しセカンダリセルのＥ−ＲＡＢ確立が失敗しかつプライマリセルのアドミッションが失敗しかつサービス先取りが失敗すると、ステップ３０８に入る。
【００５７】
若しセカンダリセルのＥ−ＲＡＢ確立が失敗するが、プライマリセルのアドミッションが成功し、またはプライマリセルのアドミッションが失敗するがサービス先取りが成功すると、プライマリセルのＥ−ＲＡＢ情報を更新し、アドミッションを再度行い、若し再度のアドミッションが成功すると、ステップ３０９に入り、若し再度のアドミッションが失敗すると、サービス先取りを行い、若しサービス先取りが成功すると、ステップ３０９に入り、若しサービス先取りが失敗すると、ステップ３０８に入る。
【００５８】
ステップ３０８において、Ｅ−ＲＡＢ確立が失敗し、ＭＭＥへＥ−ＲＡＢ確立応答を返信し、その中に確立失敗したＥ−ＲＡＢリストが含まれており、プロセスを終了する。
【００５９】
ステップ３０９において、ｅＮＢ１は、ＵＥへ無線リソース制御（ＲＲＣ：Ｒａｄｉｏ  Ｒｅｓｏｕｒｃｅ  Ｃｏｎｔｒｏｌ）接続再配置メッセージを送信する。
【００６０】
若し先取りされたサービスが存在すると、先取りされたサービスの所属するＵＥのタイプに基づいてそれぞれ処理する。
【００６１】
若し一般的なＵＥのサービスが先取りされると、基地局によって開始されたＥ−ＲＡＢ解放プロセスを実行する。若しキャリアアグリゲーションＵＥのサービスが先取りされると、キャリアアグリゲーションＵＥのサービス先取りプロセスを実行する。
【００６２】
ステップ３１０において、ＵＥは、ＲＲＣ接続再配置を成功に処理した後、ｅＮＢ１へＲＲＣ接続再配置完了メッセージを送信する。
【００６３】
ステップ３１１において、ｅＮＢ１は、ＭＭＥへＥ−ＲＡＢ確立応答を返信し、その中に確立成功したＥ−ＲＡＢリストが含まれている。
【００６４】
以下、図４を参照して本発明の実施形態によるキャリアアグリゲーションＵＥのプライマリセルのサービスが先取りされる処理を説明する。
【００６５】
ステップ４０１において、キャリアアグリゲーションＵＥのプライマリセルの所在するｅＮＢ１は、新しいサービス要求を処理する場合、リソースが十分ではないと、キャリアアグリゲーションＵＥのサービスを選択して先取りし、かつ現在のセルがＵＥのプライマリセルである。
【００６６】
ステップ４０２において、ｅＮＢ１は、ｅＮＢ２へＥ−ＲＡＢ変更要求を送信し、セカンダリセルに対応するＥ−ＲＡＢの変更を要求する。
【００６７】
ステップ４０３において、ｅＮＢ２は、Ｅ−ＲＡＢ変更要求に含まれているＥ−ＲＡＢを再度アドミッションし、ｅＮＢ１へＥ−ＲＡＢ変更応答を返信し、その中にＥ−ＲＡＢ変更結果が含まれている。
【００６８】
ステップ４０４において、ｅＮＢ１は、Ｅ−ＲＡＢ変更応答に含まれている結果を判定し、Ｅ−ＲＡＢ変更が成功すると、ステップ４０５に入り、そうでなければ、ステップ４０６に入る。
【００６９】
ステップ４０５において、Ｅ−ＲＡＢを解放しなく、ローカルのみにプライマリセルのＥ−ＲＡＢにより占められたリソースを解放し、プロセスを終了する。
【００７０】
ステップ４０６において、ｅＮＢ１は、ＭＭＥへＥ−ＲＡＢ解放指示を送信する。
【００７１】
ステップ４０７において、ＭＭＥは、Ｅ−ＲＡＢ解放指示を処理した後、ｅＮＢ１へＥ−ＲＡＢ解放命令を送信する。
【００７２】
ステップ４０８において、ｅＮＢ１は、当該キャリアアグリゲーションＵＥのセカンダリセルの所在するｅＮＢ２へＥ−ＲＡＢ解放指示を送信して対応するＥ−ＲＡＢを解放する。
【００７３】
ステップ４０９において、ｅＮＢ１は、対応するＥ−ＲＡＢを解放し、ＵＥへＲＲＣ接続再配置メッセージを送信してＥ−ＲＡＢ情報を更新する。
【００７４】
ステップ４１０において、ＵＥは、ＲＲＣ接続再配置を処理した後、ｅＮＢ１へＲＲＣ接続再配置完了メッセージを返信する。
【００７５】
ステップ４１１において、ｅＮＢ１は、ＭＭＥへＥ−ＲＡＢ解放応答を返信する。
【００７６】
以下、図５を参照して本発明の実施形態によるキャリアアグリゲーションＵＥのプライマリセルのすべてのサービスが先取りされる処理を説明する。
【００７７】
ステップ５０１において、ｅＮＢ１は、新しいサービス要求を処理する場合、リソースが十分ではないと、キャリアアグリゲーションＵＥのすべてのサービスを選択して先取りし、かつ現在のセルがＵＥのプライマリセルである。
【００７８】
ステップ５０２において、ｅＮＢ１は、ｅＮＢ２へＥ−ＲＡＢ変更要求を送信する。
【００７９】
ステップ５０３において、ｅＮＢ２は、Ｅ−ＲＡＢ変更要求に含まれているＥ−ＲＡＢを再度アドミッションし、ｅＮＢ１へＥ−ＲＡＢ変更応答を返信し、その中にＥ−ＲＡＢ変更結果が含まれている。
【００８０】
ステップ５０４において、ｅＮＢ１は、Ｅ−ＲＡＢ変更応答に含まれている結果を判定し、Ｅ−ＲＡＢ変更が成功すると、ステップ５０５に入り、すべてのＥ−ＲＡＢ変更が失敗すると、ステップ５０６に入る。
【００８１】
ステップ５０５において、変更が成功するＥ−ＲＡＢに対して、Ｅ−ＲＡＢを解放しなく、ローカルのみにプライマリセルのＥ−ＲＡＢにより占められたリソースを解放し、変更が失敗したＥ−ＲＡＢに対して、ｅＮＢ１は、ＭＭＥへＥ−ＲＡＢ解放指示を送信し、その後Ｅ−ＲＡＢ解放プロセスを実行し、プロセスを終了する。
【００８２】
ステップ５０６において、ｅＮＢ１は、ＭＭＥへＵＥコンテキスト解放要求を送信する。
【００８３】
ステップ５０７において、ＭＭＥは、ＵＥコンテキスト解放要求を処理した後、ｅＮＢ１へＵＥコンテキスト解放命令を送信する。
【００８４】
ステップ５０８において、ｅＮＢ１は、ＵＥのセカンダリセルの所在するｅＮＢ２へＵＥコンテキスト解放メッセージを送信し、セカンダリセルのＵＥコンテキストを解放する。
【００８５】
ステップ５０９において、ｅＮＢ１は、ＵＥへＲＲＣ接続解放メッセージを送信し、その後ローカルでＵＥコンテキストを解放する。
【００８６】
ステップ５１０において、ｅＮＢ１は、ＭＭＥへＵＥコンテキスト解放完了メッセージを返信する。
【００８７】
以下、図６を参照して本発明の実施形態によるキャリアアグリゲーションＵＥのセカンダリセルのサービスが先取りされる処理を説明する。
【００８８】
ステップ６０１において、ｅＮＢ２は、サービス要求を処理する場合、リソースが十分ではないと、キャリアアグリゲーションＵＥのセカンダリセルのサービスを先取りする。
【００８９】
ステップ６０２において、ｅＮＢ２は、ｅＮＢ１へＥ−ＲＡＢ解放指示を送信して、対応するＥ−ＲＡＢの解放を要求する。
【００９０】
ステップ６０３において、ｅＮＢ１は、キャリアアグリゲーションＵＥのプライマリセルの対応するサービスを再度アドミッションし、アドミッションが成功すると、ステップ６０４に入り、そうでなければ、ステップ６０５に入る。
【００９１】
ステップ６０４において、ｅＮＢ１は、ｅＮＢ２へＥ−ＲＡＢ解放プロセスを介してセカンダリセルのＥ−ＲＡＢを解放する。
【００９２】
ステップ６０５において、ｅＮＢ１は、ＭＭＥへＥ−ＲＡＢ解放指示を送信し、Ｅ−ＲＡＢ解放プロセスを実行する。
【００９３】
以下、図７を参照して本発明の実施形態によるキャリアアグリゲーションＵＥのセカンダリセルのすべてのサービスが先取りされる処理を説明する。
【００９４】
ステップ７０１において、ｅＮＢ２は、サービス要求を処理する場合、リソースが十分ではないと、キャリアアグリゲーションＵＥのセカンダリセルのサービスを先取りする。
【００９５】
ステップ７０２において、キャリアアグリゲーションＵＥのセカンダリセルのすべてのサービスが先取りされ、その所在するｅＮＢ２は、ｅＮＢ１へＵＥコンテキスト解放要求を送信して、キャリアアグリゲーションＵＥのセカンダリセルのコンテキスト解放を要求する。
【００９６】
ステップ７０３において、ｅＮＢ１は、含まれている対応するＥ−ＲＡＢを再度アドミッションし、Ｅ−ＲＡＢのアドミッションが成功すると、ステップ７０４に入り、そうでなければ、ステップ７０９に入る。
【００９７】
ステップ７０４において、ｅＮＢ１は、ｅＮＢ２へＵＥコンテキスト解放要求を送信し、キャリアアグリゲーションＵＥのセカンダリセルのＵＥコンテキストを解放する。
【００９８】
ステップ７０５において、アドミッションが失敗するＥ−ＲＡＢに対して、ｅＮＢ１は、ＭＭＥへＥ−ＲＡＢ解放指示を送信する。
【００９９】
ステップ７０６において、ＭＭＥは、Ｅ−ＲＡＢ解放指示を処理し、その後ｅＮＢ１へＥ−ＲＡＢ解放命令を送信して対応するＥ−ＲＡＢを解放するように指示する。
【０１００】
ステップ７０７において、ｅＮＢ１は、ＵＥへＲＲＣ接続再配置メッセージを送信し、キャリアアグリゲーションのセカンダリセルの情報、Ｅ−ＲＡＢ情報などを更新する。
【０１０１】
ステップ７０８において、ＵＥは、ＲＲＣ接続再配置を処理した後、ｅＮＢ１へＲＲＣ接続再配置完了メッセージを送信し、戻る。
【０１０２】
ステップ７０９において、ｅＮＢ１は、ＭＭＥへＵＥコンテキスト解放要求を送信し、ＵＥコンテキスト解放プロセスを実行する。
【０１０３】
以下、図８を参照して本発明の実施形態による基地局によってトリガされたＥ−ＲＡＢ解放指示処理を説明する。
【０１０４】
ステップ８０１において、ｅＮＢ１のＵＥのＥ−ＲＡＢが先取りされ、または他のシナリオにおいて解放を開始する必要がある場合、ＭＭＥへＥ−ＲＡＢ解放指示要求を送信して対応するＥ−ＲＡＢを解放する。
【０１０５】
ステップ８０２において、ＭＭＥは、Ｅ−ＲＡＢ解放指示を処理した後、ｅＮＢ１へＥ−ＲＡＢ解放命令を送信して対応するベアラを解放する。
【０１０６】
ステップ８０３において、サービスの所属するＵＥのタイプを判定し、キャリアアグリゲーションＵＥであり、かつセカンダリセルに対応するベアラが存在すると、ステップ８０４に入り、一般的なＵＥであれば、ステップ８０５に入る。
【０１０７】
ステップ８０４において、ｅＮＢ１は、キャリアアグリゲーションＵＥのセカンダリセルの所在するｅＮＢ２へＥ−ＲＡＢ解放メッセージを送信する。
【０１０８】
ステップ８０５において、ｅＮＢ１は、ローカルのＥ−ＲＡＢおよびリソースなどを解放し、エアインターフェイスへＲＲＣ接続再配置メッセージを送信し、その中に更新されたＥ−ＲＡＢ情報などが含まれている。
【０１０９】
ステップ８０６において、ＵＥは、ＲＲＣ接続再配置を処理した後、ｅＮＢ１へＲＲＣ接続再配置完了メッセージを返信する。
【０１１０】
ステップ８０７において、ｅＮＢ１は、ＭＭＥへＥ−ＲＡＢ解放応答を返信する。
【０１１１】
以下、図９を参照して本発明の実施形態による基地局によってトリガされたＵＥコンテキスト解放要求処理を説明する。
【０１１２】
ステップ９０１において、ｅＮＢ１のＵＥのすべてのＥ−ＲＡＢが先取りされ、または他のシナリオにおいてＵＥコンテキスト解放を開始する必要がある場合、ＭＭＥへＵＥコンテキスト解放要求を送信する。
【０１１３】
ステップ９０２において、ＭＭＥは、ＵＥコンテキスト解放要求を処理した後、ｅＮＢ１へＵＥコンテキスト解放命令を送信する。
【０１１４】
ステップ９０３において、サービスの所属するＵＥのタイプを判定し、キャリアアグリゲーションＵＥであり、かつセカンダリセルおよびセカンダリコンテキスト情報が存在すると、ステップ９０４に入り、一般的なＵＥであれば、ステップ９０５に入る。
【０１１５】
ステップ９０４において、ｅＮＢ１は、キャリアアグリゲーションＵＥのセカンダリセルの所在するｅＮＢ２へＵＥコンテキスト解放メッセージを送信する。
【０１１６】
ステップ９０５において、ｅＮＢ１は、ローカルのコンテキスト情報などを解放し、エアインターフェイスへＲＲＣ接続解放メッセージを送信する。
【０１１７】
ステップ９０６において、ｅＮＢ１は、ＭＭＥへＵＥコンテキスト解放完了メッセージを返信する。
【０１１８】
以下、図１０を参照して本発明の実施形態による基地局間のキャリアアグリゲーションＵＥのベアラを確立する処理を説明する。
【０１１９】
ステップ１００１において、ｅＮＢ１は、ｅＮＢ２へＥ−ＲＡＢ確立要求メッセージを送信し、Ｕｕインターフェイスにおけるリソースの割り当てを要求する。
【０１２０】
ここで、Ｅ−ＲＡＢ確立要求には、Ｏｌｄ  ｅＮＢ  ＵＥ  Ｘ２ＡＰ  ＩＤ、Ｎｅｗ  ｅＮＢ  ＵＥ  Ｘ２ＡＰ  ＩＤ、ＵＥ  ＡＭＢＲ、確立すべきＥ−ＲＡＢリストなどが含まれている。
【０１２１】
ステップ１００２において、ｅＮＢ２は、Ｅ−ＲＡＢ確立要求メッセージを処理し、その後ｅＮＢ１へＥ−ＲＡＢ確立応答を返信する。
【０１２２】
ここで、Ｅ−ＲＡＢ確立応答には、Ｏｌｄ  ｅＮＢ  ＵＥ  Ｘ２ＡＰ  ＩＤ、Ｎｅｗ  ｅＮＢ  ＵＥ  Ｘ２ＡＰ  ＩＤ、確立成功したＥ−ＲＡＢリスト、確立失敗したＥ−ＲＡＢリストなどが含まれている。
【０１２３】
以下、図１１を参照して本発明の実施形態による基地局間のキャリアアグリゲーションＵＥのベアラ変更の処理を説明する。
【０１２４】
ステップ１１０１において、ｅＮＢ１は、ｅＮＢ２へＥ−ＲＡＢ変更要求メッセージを送信し、所与のＵＥに存在するＥ−ＲＡＢｓの変更を要求する。
【０１２５】
ここで、Ｅ−ＲＡＢ変更要求には、Ｏｌｄ  ｅＮＢ  ＵＥ  Ｘ２ＡＰ  ＩＤ、Ｎｅｗ  ｅＮＢ  ＵＥ  Ｘ２ＡＰ  ＩＤ、ＵＥ  ＡＭＢＲ、変更すべきＥ−ＲＡＢリストなどが含まれ、ステップ９０２にスキップする。
【０１２６】
ステップ１１０２において、ｅＮＢ２は、Ｅ−ＲＡＢ変更要求メッセージを処理し、その後ｅＮＢ１へＥ−ＲＡＢ変更応答を返信する。
【０１２７】
ここで、Ｅ−ＲＡＢ変更応答には、Ｏｌｄ  ｅＮＢ  ＵＥ  Ｘ２ＡＰ  ＩＤ、Ｎｅｗ  ｅＮＢ  ＵＥ  Ｘ２ＡＰ  ＩＤ、変更成功のＥ−ＲＡＢリスト、変更失敗のＥ−ＲＡＢリストなどが含まれている。
【０１２８】
以下、図１２を参照して本発明の実施形態によるキャリアアグリゲーションＵＥのプライマリセル／セカンダリセルの先取りプロセスが交差する処理を説明する。
【０１２９】
ステップ１２０１において、キャリアアグリゲーションＵＥのプライマリセルの所在するｅＮＢ１がセカンダリセルの所在するｅＮＢ２からのＥ−ＲＡＢ解放指示を受信した場合、ｅＮＢ１がキャリアアグリゲーションＵＥのすべてのサービスを解放する必要があり、例えばユーザが移動しなく、またはキャリアアグリゲーションＵＥのプライマリセルのすべてのサービスが先取りされることなどであると、ステップ１２０２に入り、そうでなければ、ステップ１２０３に入る。
【０１３０】
ステップ１２０２において、ＵＥコンテキスト解放プロセスでＥ−ＲＡＢ解放プロセスを入れ替える。
【０１３１】
ステップ１２０３において、ｅＮＢ１がキャリアアグリゲーションＵＥのプライマリセルのサービスを先取りする時にセカンダリセルの所在するｅＮＢ２からのＵＥコンテキスト解放要求を受信した場合、ステップ１２０４に入り、ｅＮＢ１がキャリアアグリゲーションＵＥのプライマリセルのサービスを先取りする時にセカンダリセルの所在するｅＮＢ２からのＵＥコンテキスト解放要求を受信しない場合、ステップ１２０５に入る。
【０１３２】
ステップ１２０４において、セカンダリセルのＵＥコンテキスト解放プロセスを実行してＥ−ＲＡＢ解放プロセスを入れ替える。
【０１３３】
ステップ１２０５において、ｅＮＢ２がキャリアアグリゲーションＵＥのセカンダリセルのサービスを先取りする時にｅＮＢ１からのＥ−ＲＡＢ解放メッセージを受信した場合、ステップ１２０７に入り、ｅＮＢ２がキャリアアグリゲーションＵＥのセカンダリセルのサービスを先取りする時にｅＮＢ１からのＥ−ＲＡＢ解放メッセージを受信しない場合、プロセスを終了する。
【０１３４】
ステップ１２０６において、Ｅ−ＲＡＢ解放を実行し、その後選択された、先取りされたサービスに対してフィルタリングを行って、解放されたＥ−ＲＡＢをフィルタリングし、その後ｅＮＢ１へＥ−ＲＡＢ解放指示を送信する。
【０１３５】
本発明によるサービス先取り方法の別の実施形態は、以下のステップを含む。
【０１３６】
ステップ１において、ｅＮＢは、サービス要求を処理する場合、リソースが十分ではないと、サービス要求のアドミッションが失敗すると、サービス要求の所属するＵＥのタイプ（一般的なＵＥまたはキャリアアグリゲーションＵＥ）、所存するセルのタイプ（プライマリセルまたはセカンダリセル）および先取り結果（サービス先取りが成功し、またはサービス先取りが失敗する）とサービス先取りなどの情報を取得する。
【０１３７】
ステップ２において、サービス要求の所属するＵＥのタイプ、所在するセルのタイプおよび先取り結果に基づいて処理する。
【０１３８】
一般的なＵＥであり、サービス先取りが失敗すると、サービスへのアクセスが失敗し、サービス先取りが成功すると、サービスへのアクセスが成功する。
【０１３９】
キャリアアグリゲーションＵＥであり、プライマリセルおよびセカンダリセルの先取りがすべて失敗すると、サービスへのアクセスが失敗し、キャリアアグリゲーションＵＥであり、プライマリセルまたは／およびセカンダリセルのサービス先取りが成功すると、サービスへのアクセスが成功する。
【０１４０】
ステップ３において、先取りされたサービスの所属するＵＥのタイプおよび所在するセルのタイプに基づいて処理する。
【０１４１】
一般的なＵＥのサービスが先取りされた場合、先取りされたサービスを解放する。
【０１４２】
キャリアアグリゲーションＵＥのプライマリセルのサービスが先取りされた場合、セカンダリセルに対応するサービスを更新し、更新が成功すると、先取りされたサービスを解放しなく、そうでなければ、Ｅ−ＲＡＢ解放指示を開始し、プライマリセルのＥ−ＲＡＢを解放する。キャリアアグリゲーションＵＥのセカンダリセルのサービスが先取りされた場合、プライマリセルに対応するサービスを更新し、更新が成功すると、先取りされたサービスを解放しなく、そうでなければ、Ｅ−ＲＡＢ解放指示プロセスを開始し、セカンダリセルに対応するＥ−ＲＡＢを解放する。キャリアアグリゲーションＵＥのプライマリセルおよびセカンダリセルのサービスがすべて先取りされた場合、Ｅ−ＲＡＢ解放指示プロセスを開始し、プライマリセルおよびセカンダリセルに対応するＥ−ＲＡＢを解放する。
【０１４３】
本出願によるいくつかの実施形態において、開示された装置および方法は、他の方式により実現されることができると理解すべきである。上述した装置の実施形態は、例示的なものだけであり、例えば前記ユニットの分割が論理機能の分割だけであり、実際に実現する場合に別の分割方式が可能であり、例えば複数のユニットまたは部材が組み合わせられることができ、または別のシステムに集積されることができ、またはいくつかの特徴が無視され、または実行されないことができる。また、表示または討論された各構成部分の間の結合、または直接結合、または通信接続がいくつかのインターフェイス、装置またはユニットを介する間接結合または通信接続であってよく、電気的、機械的または他の形態であってよい。
【０１４４】
上記した、分離部材として説明されたユニットは、物理的に分離してよく、または物理的に分離しなくてもよく、ユニットとして表示された部材は、物理ユニットであってよく、または物理ユニットではなくてもよく、一つの場所に位置してよく、複数のネットワークユニットに分布してもよく、実際の需要に応じてその中の一部またはすべてのユニットを選択して本実施形態の目的を実現することができる。
【０１４５】
また、本発明の各実施形態における各ユニットは、すべて一つの処理ユニットに集積されてよく、各ユニットがそれぞれ単独して一つのユニットとされてよく、２つ以上のユニットが一つのユニットに集積されてもよい。上記の集積されたユニットは、ハードウェアの形態で実現されてよく、ハードウェア＋ソフトウェア機能ユニットの形態で実現されてもよい。
【０１４６】
当業者は、前記方法の実施形態のすべてのまたは一部のステップを実現することがプログラム命令に関連するハードウェアにより完了されることができ、前記プログラムがコンピュータ可読記憶媒体に記憶されてよく、当該プログラムが実行される場合、前記方法の実施形態のステップの実行が含まれ、前記記憶媒体が移動記憶装置、読み取り専用メモリ（Ｒｅａｄ−Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスクまたは光ディスクなどの様々な、プログラムコードを記憶できる媒体を含むと理解すべきである。
【０１４７】
または、本発明の上記の集積されたユニットは、ソフトウェア機能モジュールの形態で実現されかつ独立する製品として販売または使用される場合、一つのコンピュータ可読記憶媒体に記憶されてもよい。このような理解に基づいて、本発明の実施形態の技術的解決手段は、本質的にソフトウェア製品の形態で体現されることができ、または従来技術に貢献する部分がソフトウェア製品の形態で体現されることができ、当該コンピュータソフトウェア製品が一つの記憶媒体に記憶され、一つのコンピュータ装置（パーソナルコンピュータ、サーバ、またはネットワーク装置などであってもよい）に本発明の各実施形態に記載された方法のすべてまたは一部を実行させるための若干の命令を含む。前記記憶媒体は、移動記憶装置、読み取り専用メモリ（Ｒｅａｄ−Ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスクまたは光ディスクなどの様々な、プログラムコードを記憶できる媒体を含む。
【０１４８】
上記は、本発明の具体的な実施形態だけであるが、本発明の保護範囲は、これに限られなく、本分野のいかなる当業者は、本発明において開示された技術範囲で、変化または入れ替えがすべて本発明の保護範囲に含まれるべきであると容易に考えることができる。したがって、本発明の保護範囲は、前記特許請求の保護範囲を基準とするべきである。
【図１】
2016531523.tif 000003
【図２】
2016531523.tif 000004
【図３】
2016531523.tif 000005
【図４】
2016531523.tif 000006
【図５】
2016531523.tif 000007
【図６】
2016531523.tif 000008
【図７】
2016531523.tif 000009
【図８】
2016531523.tif 000010
【図９】
2016531523.tif 000011
【図１０】
2016531523.tif 000012
【図１１】
2016531523.tif 000013
【図１２】
2016531523.tif 000014
【国際調査報告】
2016531523.tif 000015
2016531523.tif 000016
2016531523.tif 000017
2016531523.tif 000018